(57)【要約】【課題】取扱性に優れると共に、比較的低コストで路面の焦げ付きを抑制することができる発炎筒保持具の提供を目的とする。【解決手段】本発明の発炎筒保持具は、発炎筒の周面における軸方向と平行な少なくとも一部の領域を被覆する樋状の発炎筒保持具であって、難燃性の段ボールシートから構成され、上記段ボールシートの波状の中芯の稜線方向と中心軸方向とのなす角度が４５°以上９０°以下であることを特徴とする。上記発炎筒の周面に沿って配設される帯状の底面部を有するとよい。上記底面部の両側縁に段ボールシートの中芯とライナーとで区画される空間が開口しているとよい。上記底面部の底面に中心軸方向に沿って付設される脚部をさらに備えるとよい。【選択図】図１
2017208010.tif 000002
【特許請求の範囲】
【請求項１】
発炎筒の周面における軸方向と平行な少なくとも一部の領域を被覆する樋状の発炎筒保持具であって、
難燃性の段ボールシートから構成され、
上記段ボールシートの波状の中芯の稜線方向と中心軸方向とのなす角度が４５°以上９０°以下であることを特徴とする発炎筒保持具。
【請求項２】
上記発炎筒の周面に沿って配設される帯状の底面部を有する請求項１に記載の発炎筒保持具。
【請求項３】
上記底面部の両側縁に段ボールシートの中芯とライナーとで区画される空間が開口している請求項２に記載の発炎筒保持具。
【請求項４】
上記底面部の底面に中心軸方向に沿って付設される脚部をさらに備える請求項２又は請求項３に記載の発炎筒保持具。
【発明の詳細な説明】
【技術分野】
【０００１】
本発明は発炎筒保持具に関する。
【背景技術】
【０００２】
高速道路での事故等の緊急時や、高速道路の工事現場などにおいて、通行車両のドライバーに注意を喚起するために発炎筒が用いられることがある。この発炎筒は、棒状に形成されており、一端から炎を発することで後続車等に注意喚起するものである。この発炎筒は、通常周面を路面に接するように載置された状態で使用される。しかしながら、このように周面が路面に接した状態では、発炎筒から発生する炎や高温の燃焼残渣が路面を焦がすおそれが高い。
【０００３】
そのため今日では、発炎筒を使用しても路面の焦げ付きを抑制できるよう、発炎筒を載置するための発炎筒保持具が用いられるようになってきている。このような発炎筒保持具としては、例えば可燃性容器の内部に液状不燃性材料を収容した発炎筒保持具が提案されている（特開２０１１−１７０４９７号公報参照）。
【０００４】
この公報に記載の発炎筒保持具は、発炎筒の下側に液状不燃性材料を敷き、この液状不燃材料によって発炎筒から発生する燃焼残渣を受け止めることで路面の焦げ付きを抑制することができるとされている。
【０００５】
しかしながら、この発炎筒保持具は、液状不燃性材料を可燃性容器の所定位置に保持した状態で使用する必要があるため、取扱いの際に注意を要する。そのため、この発炎筒保持具は、緊急時等の使用には不向きである。また、この発炎筒保持具は、可燃性容器に加え液状不燃性材料を用いるため、製造コストが高くなると考えられる。
【先行技術文献】
【特許文献】
【０００６】
【特許文献１】特開２０１１−１７０４９７号公報
【発明の概要】
【発明が解決しようとする課題】
【０００７】
本発明は、このような事情に鑑みてなされたものであり、取扱性に優れると共に、比較的低コストで路面の焦げ付きを抑制することができる発炎筒保持具の提供を目的とするものである。
【課題を解決するための手段】
【０００８】
上記課題を解決するためになされた本発明に係る発炎筒保持具は、発炎筒の周面における軸方向と平行な少なくとも一部の領域を被覆する樋状の発炎筒保持具であって、難燃性の段ボールシートから構成され、上記段ボールシートの波状の中芯の稜線方向と中心軸方向とのなす角度が４５°以上９０°以下であることを特徴とする。
【０００９】
当該発炎筒保持具は、発火時の発炎筒を、周面における軸方向と平行な少なくとも一部の領域を被覆した状態で保持することで、発炎筒の炎による路面の焦げ付きを抑制することができる。当該発炎筒保持具は、段ボールシートから構成されており液状不燃性材料のような他の材料を要しないので、取扱性に優れると共に比較的低コストで製造することができる。特に、上記段ボールシートが難燃性であるので、当該発炎筒保持具の燃焼を抑制できるので、路面の焦げ付きをより確実に抑制することができる。また、当該発炎筒保持具は、段ボールシートの波状の中芯の稜線方向と中心軸方向（発炎筒の軸と平行方向）とのなす角度が上記範囲内であることから、段ボールシートの中芯とライナーとで区画される複数の棒状の空間（この棒状の空間は長手方向が中芯の稜線方向と平行に位置する）が中心軸方向と上記角度で交差した状態で存在している。そのため、当該発炎筒保持具は、仮に一部に発火したとしても、この空間に燃焼時の不燃性ガスが滞留し防炎効果が高まり、中心軸方向への延焼を抑制することができる。従って、当該発炎筒保持具は、発火領域の拡大を抑えることで路面の焦げ付きを抑制することができる。
【００１０】
上記発炎筒の周面に沿って配設される帯状の底面部を有するとよい。このように、上記発炎筒の周面に沿って配設される帯状の底面部を有することによって、当該発炎筒保持具の形成が容易であると共に、発炎筒を下方から支持し、この発炎筒から発生する炎や高温の燃焼残渣の路面への接触を抑制し易い。
【００１１】
上記底面部の両側縁に段ボールシートの中芯とライナーとで区画される空間が開口しているとよい。このように、上記底面部の両側縁に段ボールシートの中芯とライナーとで区画される空間が開口していることによって、上記開口から熱を逃がし易く、これにより延焼抑制効果を高め易い。
【００１２】
上記底面部の底面に中心軸方向に沿って付設される脚部をさらに備えるとよい。このように、上記底面部の底面に中心軸方向に沿って付設される脚部をさらに備えることによって、当該発炎筒保持具と路面との間に空間を設けて路面の焦げ付きをさらに抑制し易い。
【発明の効果】
【００１３】
以上説明したように、本発明の発炎筒保持具は、取扱性に優れると共に、比較的低コストで路面の焦げ付きを抑制することができる。
【図面の簡単な説明】
【００１４】
【図１】本発明の一実施形態に係る発炎筒保持具を示す模式的斜視図である。
【図２】図１の発炎筒保持具による発炎筒の被覆状態を示す模式的斜視図である。
【図３】図１の発炎筒保持具の模式的前面図である。
【図４】図１の発炎筒保持具の使用状態（発炎筒の発火状態）を示す模式的斜視図である。
【図５】図１の発炎筒保持具とは異なる実施形態に係る発炎筒保持具を示す模式的斜視図である。
【図６】図１及び図５の発炎筒保持具とは異なる実施形態に係る発炎筒保持具を示す模式的斜視図である。
【図７】本発明の他の実施形態に係る発炎筒保持具ユニットによる発炎筒の固定状態を示す模式的斜視図である。
【図８】図７の発炎筒保持ユニットに取り付けられる発炎筒固定具を示す模式図であって、（ａ）正面図、（ｂ）は側面図である。
【図９】図１、図５及び図６の発炎筒保持具とは異なる形態に係る発炎筒保持具を示す模式的斜視図である。
【図１０】図１、図５、図６及び図９の発炎筒保持具とは異なる形態に係る発炎筒保持具を示す模式的斜視図である。
【発明を実施するための形態】
【００１５】
以下、適宜図面を参照しつつ、本発明の実施の形態を詳説する。
【００１６】
［第一実施形態］
＜発炎筒保持具＞
図１の発炎筒保持具１は、樋状に形成されている。具体的には、当該発炎筒保持具１は、発炎筒の周面が載置される部分の幅方向の両側（中心軸方向と垂直方向の両端側）が上方に突出した形状とされている。当該発炎筒保持具１は、路面に載置して用いられる。当該発炎筒保持具１は、図２に示すように、発炎筒Ｘの周面における軸方向と平行な少なくとも一部の領域を被覆し、発炎筒Ｘから発生する炎や高温の燃焼残渣による路面の焦げ付きを抑制する。
【００１７】
当該発炎筒保持具１は、難燃性の段ボールシートから構成されている。上記段ボールシートの材質としては、紙又は合成樹脂が挙げられる。つまり、当該発炎筒保持具１は、難燃性の紙製段ボールシート又は難燃性の合成樹脂製段ボールシートから構成されている。当該発炎筒保持具１は、難燃性の紙製段ボールシート又は難燃性の合成樹脂製段ボールシートから構成されることで、防炎性を有する。なお、当該発炎筒保持具１は、難燃剤を含浸又は塗工した段ボールシートから構成可能であるが、上記段ボールシートの材質として難燃性を有する合成樹脂を用いる場合には、必ずしも難燃剤を含浸又は塗工しなくてもよい。
【００１８】
上記段ボールシートとしては、波状に形成された中芯及びこの中芯の両側から貼り合わされる一対のライナーを有する両面段ボールシート、両面段ボールシートの一方側面に片面段ボールシート（波状の中芯の一方側に１枚のライナーを貼り合わせた段ボールシート）の段頂を貼り合わせた複両面段ボールシート、複両面段ボールシートの一方側面に片面段ボールシートの段頂をさらに貼り合わせた複々両面段ボールシート等が挙げられる。中でも、難燃剤を含浸又は塗工することで一定の防炎性を発揮できると共に、加工性、経済性等に優れる両面段ボールシートが好ましい。
【００１９】
上記難燃剤としては、段ボールシートに一定の防炎性を付与できるものでる限り特に限定されるものではなく、例えばハロゲン系、リン系、窒素含有化合物系等の公知の難燃剤が挙げられる。
【００２０】
上記段ボールシートに難燃剤を含浸させる方法としては、難燃剤を水等の溶媒に溶解したうえでこの難燃剤溶液を含浸装置を用いて含浸させる方法が挙げられる。また、難燃剤を塗工する方法としては、難燃剤溶液をグラビアコータ、ロールコータ、エアナイフコータ等によって塗布して乾燥させる方法が挙げられる。なお、上記難燃剤を塗工する場合、例えば当該発炎筒保持具１に組み立てた状態における上面側（発炎筒Ｘ側）にのみ難燃剤を塗工してもよいが、上面側に加え下面側（路面側）にも難燃剤を塗工することが好ましい。また、上記難燃剤を塗工する場合、段ボールシートの中芯にも難燃剤を塗工してもよい。
【００２１】
上記段ボールシートに対する固形分換算での難燃剤の添加量の下限としては、５質量％が好ましく、１０質量％がより好ましい。上記難燃剤の添加量が上記下限に満たないと、当該発炎筒保持具１の防炎性が不十分となるおそれがある。なお、上記難燃剤の添加量の上限としては、当該発炎筒保持具１の防炎性が十分に向上できる限り特に限定されるものではなく、例えば６０質量％とすることができる。
【００２２】
上記段ボールシートの防炎性能としては、ＪＩＳ−Ｚ２１５０：１９６６に示される薄い材料の防炎性試験方法「４５°メッケルバーナー法」に準じ防火２級相当以上であることが好ましい。当該発炎筒保持具１は、上記段ボールシートが防火２級相当以上の防炎性能を有することで、路面の焦げ付きを十分に抑制することができる。
【００２３】
上記段ボールシートの平均厚さの下限としては、３ｍｍが好ましく、４．５ｍｍがより好ましい。一方、上記段ボールシートの平均厚さの上限としては、７ｍｍが好ましく、６ｍｍがより好ましい。上記段ボールシートの平均厚さが上記下限に満たないと、段ボールシートの防炎性が不十分となり、路面の焦げ付きを十分に抑制することができないおそれがある。逆に、上記段ボールシートの平均厚さが上記上限を超えると、段ボールシートの加工性が低下して、当該発炎筒保持具１を組み立て難くなるおそれがある。
【００２４】
当該発炎筒保持具１は、発炎筒Ｘの周面に沿って配設される帯状の底面部２を有する。具体的には、底面部２は、長手方向が発炎筒Ｘの周面における軸方向と平行で、この長手方向長さ及び幅に対して厚さが小さい形状とされている。また、当該発炎筒保持具１は、底面部２の幅方向両側から上方に立設される一対の側壁３と、一対の側壁３の下端から下方に突設される複数の突出部４とを有する。当該発炎筒保持具１は、上記段ボールシートの波状の稜線方向と中心軸方向（底面部２の長手方向）とのなす角度が４５°以上９０°以下である。上記なす角度の下限としては、６０°が好ましく、８０°がより好ましい。また特に、当該発炎筒保持具１は、上記段ボールシートの波状の稜線方向が中心軸方向と垂直に位置すること（つまり、上記段ボールシートの波状の稜線方向と中心軸方向とのなす角度が９０°であること）が最も好ましい。当該発炎筒保持具１は、上記段ボールシートの波状の稜線と中心軸とのなす角度が上記範囲内であることによって、底面部２及び突出部４の幅方向と上記稜線方向とが平行又は略平行に位置している。
【００２５】
（底面部）
底面部２は、発炎筒Ｘから発生する炎や高温の燃焼残渣の路面への接触を抑制する。底面部２は、長尺状の段ボールシートを折り返して形成されている。具体的には、底面部２は、発炎筒Ｘを載置する載置部１１と、載置部１１の後端から載置部１１下面全面に重なるように折り返される第１支持部１２と、第１支持部１２の前端から下面側に折り返される第２支持部１３とを有する。第１支持部１２は、載置部１１の下面全面に重ねられることで、燃焼残渣の漏れを防止し当該発炎筒保持具１の防炎性を全面的に向上させる。一方、第２支持部１３は、図１に示すように、当該発炎筒保持具１の前側部分にのみ折り重ねられている。第２支持部１３は、当該発炎筒保持具１の前側部分にのみ折り重ねられることで、図４に示すように、発炎筒Ｘの着火部近傍の下面側の防炎性を向上すると共に、発炎筒Ｘを着火部側が上方に傾斜した状態で支持する。また、底面部２には、長手方向に一定の間隔をおいて、この長手方向と垂直方向に伸びる複数のミシン目部１４が形成されている。なお、「前」とは発炎筒Ｘを載置した状態におけるこの発炎筒Ｘの着火部側をいい、「後」とはその逆側を意味する。
【００２６】
底面部２の長手方向平均長さ（載置部１１及び第１支持部１の長手方向平均長さ）の下限としては、１５ｃｍが好ましく、２５ｃｍがより好ましく、３５ｃｍがさらに好ましい。一方、上記平均長さの上限としては、５５ｃｍが好ましく、５０ｃｍがより好ましく、４５ｃｍがさらに好ましい。上記平均長さが上記下限に満たないと、発炎筒Ｘを載置した状態で、発炎筒Ｘの着火部及びこの着火部から生じた炎を下面側から的確に保護できないおそれがある。逆に、上記平均長さが上記上限を超えると、当該発炎筒保持具１が不要に大きくなり取扱性が低下するおそれがある。
【００２７】
底面部２の平均幅（一対の側壁３間の平均距離）の下限としては、２５ｍｍが好ましく、３０ｍｍがより好ましく、３８ｍｍがさらに好ましい。一方、上記平均幅の上限としては、６０ｍｍが好ましく、５５ｍｍがより好ましく、４５ｍｍがさらに好ましい。上記平均幅が上記下限に満たないと、発炎筒Ｘを一対の側壁３間に的確に載置することができないおそれがある。逆に、上記平均幅が上記上限を超えると、発炎筒Ｘを安定的に保持できないおそれがある。
【００２８】
底面部２は、平面視長方形状に形成されており、幅方向における両側縁に段ボールシートの中芯とライナーとで区画される空間が開口している。具体的には、底面部２は、第１支持部１２及び第２支持部１３の幅方向における両側縁に段ボールシートの中芯とこの中芯の上下に配される一対のライナーとで区画される上下の空間Ｙ１，Ｙ２が開口している。当該発炎筒保持具１は、底面部２の両側縁に段ボールシートの中芯とライナーとで区画される空間が開口していることによって、この開口から熱を逃がし易く、これにより延焼抑制効果を高め易い。
【００２９】
底面部２の長手方向長さに対する上記空間Ｙ１，Ｙ２の開口領域の長手方向長さの比の下限としては、０．４が好ましく、０．５がより好ましく、０．６がさらに好ましい。上記比が上記下限に満たないと、延焼抑制効果を十分に高め難くなるおそれがある。なお、上記比の上限としては、特に限定されるものではなく、例えば１とすることができる。
【００３０】
当該発炎筒保持具１は、載置部１１及び第１支持部１２の折曲部には、図１に示すようにハーフカットによる折り曲げ容易線が外側から形成されており、第１支持部１２の折り曲げ容易性が向上されている。これに対し、当該発炎筒保持具１は、第１支持部１２及び第２支持部１３の折曲部には、図３に示すようにハーフカットが形成されていない。つまり、当該発炎筒保持具１は、第１支持部１２及び第２支持部１３の折曲部の外側にはライナーが存在している。当該発炎筒保持具１は、前端側に発炎筒Ｘの着火部が位置するため、この前端側は発炎筒Ｘから発せられる炎によって発火し易い。この点に関し、当該発炎筒保持具１は、第１支持部１２及び第２支持部１３の折曲部にライナーが存在していることによって、この折曲部を起点とする発火を抑制することができる。
【００３１】
複数のミシン目部１４は、当該発炎筒保持具１の分割容易線として構成されている。当該発炎筒保持具１は、例えば発炎筒Ｘの使用終了後に複数のミシン目部１４によって複数片に分割することで、廃棄容易性を高めることができる。複数のミシン目部１４の配設個数としては、例えば底面部２の長手方向に２個以上６個以下程度とすることができる。
【００３２】
（側壁）
一対の側壁３は、発炎筒Ｘを側方から支持することで、発炎筒Ｘの当該発炎筒保持具１からの脱落を防止する。一対の側壁３は、底面部２の幅方向両端から上方に立設されている。一対の側壁３は、底面部２の幅方向両端の全領域から連続して設けられている。具体的には、一対の側壁３は、それぞれ載置部１１の幅方向両端から連続する外壁１６と、外壁１６の上端から外壁１６の内側に折り重ねられる内壁１７とを有し、内壁１７の先端（下端）から突出する複数の凸部１８が載置部１１の幅方向両側に形成される孔１９にそれぞれ嵌合されている。一対の側壁３は、外壁１６の上端から外壁１６の内側に内壁１７が折り曲げられていることで、上端に中芯が露出することが防止されている（つまり、一対の側壁３の上端にはライナーが存在している）。当該発炎筒保持具１は、このように一対の側壁３の上端にライナーが存在していることによって、この上端を起点とする発火を抑制することができる。
【００３３】
一対の側壁３は、長手方向の全領域において高さ（上下方向長さ）が等しい。一対の側壁３の高さの下限としては、５ｍｍが好ましく、１０ｍｍがより好ましく、１３ｍｍがさらに好ましい。一方、一対の側壁３の高さの上限としては、３０ｍｍが好ましく、２５ｍｍがより好ましく、２０ｍｍが特に好ましい。上記高さが上記下限に満たないと、発炎筒Ｘを側方から十分に支持できないおそれがある。逆に、上記高さが上記上限を超えると、一対の側壁３が不要に高くなり取扱性が低下するおそれがある。
【００３４】
なお、一対の側壁３の長手方向長さは、底面部２の長手方向長さと同様とすることができる。
【００３５】
（突出部）
複数の突出部４は、一対の外壁１６の下端から連続して形成されている。複数の突出部４は、当該発炎筒保持具１の上下方向の強度を補強する。複数の突出部４の外面は、一対の外壁１６の外面と面一状に形成されている。複数の突出部４の内面には底面部２の側面が当接している。
【００３６】
＜利点＞
当該発炎筒保持具１は、発火時の発炎筒Ｘを、周面における軸方向と平行な少なくとも一部の領域を被覆した状態で保持することで、発炎筒Ｘの炎による路面の焦げ付きを抑制することができる。当該発炎筒保持具１は、段ボールシートから構成されており液状不燃性材料のような他の材料を要しないので、取扱性に優れると共に比較的低コストで製造することができる。特に、上記段ボールシートが難燃性であるので、当該発炎筒保持具１の燃焼を抑制できるので、路面の焦げ付きをより確実に抑制することができる。また、当該発炎筒保持具１は、段ボールシートの波状の中芯の稜線方向と中心軸方向とのなす角度が上記範囲内であることから、段ボールシートの中芯とライナーとで区画される複数の棒状の空間（この棒状の空間は長手方向が中芯の稜線方向と平行に位置する）が中心軸方向と上記角度で交差した状態で存在している。そのため、当該発炎筒保持具１は、仮に一部に発火したとしても、この空間に燃焼時の不燃性ガスが滞留し防炎効果が高まり、中心軸方向への延焼を抑制することができる。従って、当該発炎筒保持具１は、発火領域の拡大を抑えることで路面の焦げ付きを抑制することができる。加えて、当該発炎筒保持部１は、第２支持部１３によって発炎筒Ｘを着火部側が上方に傾斜した状態で支持することができるので、発炎筒Ｘから発生する燃焼残渣が当該発炎筒保持具１の前端から路面に漏れることを抑制し、路面の焦げ付きをさらに抑制することができる。
【００３７】
当該発炎筒保持具１は、発炎筒Ｘの周面に沿って配設される帯状の底面部２を有するので、当該発炎筒保持具１の形成が容易であると共に、発炎筒Ｘを下方から支持し、この発炎筒Ｘから発生する炎や高温の燃焼残渣の路面への接触を抑制し易い。
【００３８】
［第二実施形態］
＜発炎筒保持具＞
図５の発炎筒保持具２１は、樋状に形成されている。当該発炎筒保持具２１は、図１の発炎筒保持具１と同様、路面に載置して用いられる。当該発炎筒保持具２１は、発炎筒の周面における軸方向と平行な少なくとも一部の領域を被覆し、発炎筒から発生する炎や高温の燃焼残渣による路面の焦げ付きを抑制する。当該発炎筒保持具２１は、図１の発炎筒保持具１と同様の難燃性の段ボールシートから構成されている。
【００３９】
当該発炎筒保持具２１は、発炎筒の周面に沿って配設される帯状の底面部２２と、底面部２２の底面に中心軸方向に沿って付設される一対の脚部２３とを備える。さらに、当該発炎筒保持具２１は、一対の脚部２３の下端から連続して設けられる一対の係合部２４を有する。当該発炎筒保持具２１は、一対の係合部２４の先端同士が係合されており、これにより一対の脚部２３が安定的に保持されている。
【００４０】
当該発炎筒保持具２１は、上記段ボールシートの波状の稜線方向と中心軸方向（底面部２２の長手方向）とのなす角度が４５°以上９０°以下である。また、上記なす角度の下限としては、６０°が好ましく、８０°がより好ましい。また特に、当該発炎筒保持具２１は、上記段ボールシートの波状の稜線方向が中心軸方向と垂直に位置すること（つまり、上記段ボールシートの波状の稜線と中心軸とのなす角度が９０°であること）が最も好ましい。当該発炎筒保持具２１は、上記段ボールシートの波状の稜線方向と中心軸方向とのなす角度が上記範囲内であることによって、底面部２２、一対の脚部２３及び一対の係合部２４の幅方向と上記稜線方向とが平行又は略平行に位置している。
【００４１】
（底面部）
底面部２２は、発炎筒から発生する炎や高温の燃焼残渣の路面への接触を抑制する。底面部２２は、幅方向において下方に湾曲して形成された窪み部を有する。具体的には、底面部２２は、下端同士が連結されるよう幅方向中心側に向けて下方に傾斜した一対の傾斜部を有し、さらに具体的には幅方向の断面がＶ字状に構成されている。当該発炎筒保持具２１は、底面部２２の幅方向の断面がＶ字状に構成されることによって、別途側壁を設けなくても発炎筒を側方から支持することができ、この発炎筒のぐらつきを防止することができると共に、発炎筒が当該発炎筒保持具２１から脱落することを防止できる。また、底面部２２の幅方向の断面がＶ字状に構成されることによって、発炎筒の下面と底面部２２の底部との間に空間が形成されるので、この空間に発炎筒から発生する炎に起因する高温の燃焼残渣を捕集することができ、この燃焼残渣が発炎筒の周面を伝って流れることを抑制することができる。
【００４２】
底面部２２の平均幅（底面部２２の幅方向両端間の平均距離）の下限としては、３６ｍｍが好ましく、４０ｍｍがより好ましく、４２ｍｍがさらに好ましい。一方、上記平均幅の上限としては、８０ｍｍが好ましく、７５ｍｍがより好ましく、６５ｍｍがさらに好ましい。上記平均幅が上記下限に満たないと、発炎筒を的確に載置することができないおそれがある。逆に、上記平均幅が上記上限を超えると、当該発炎筒保持具２１が不要に大きくなり取扱性が低下するおそれがある。
【００４３】
底面部２２の平均高さ（Ｖ字状の底部の下面と底面部２２の幅方向両端との平均上下方向距離）の下限としては、２０ｍｍが好ましく、２２ｍｍがより好ましく、２５ｍｍがさらに好ましい。一方、上記平均高さの上限としては、３５ｍｍが好ましく、３２ｍｍがより好ましく、３０ｍｍがさらに好ましい。上記平均高さが上記下限に満たないと、発炎筒を的確に載置することができないおそれがある。逆に、上記平均高さが上記上限を超えると、当該発炎筒保持具２１が不要に大きくなり取扱性が低下するおそれがある。
【００４４】
なお、底面部２２の長手方向平均長さは、図１の発炎筒保持具１の底面部２の長手方向平均長さと同様とすることができる。
【００４５】
（脚部）
一対の脚部２３は、当該発炎筒保持具２１の上下方向の強度を補強する。また、一対の脚部２３は、底面部２２と当該発炎筒保持具２１が載置される路面との間に空間を形成する。一対の脚部２３は、底面部２２の幅方向両端から下方に立設されている。一対の脚部２３は、底面部２２の幅方向両端の全領域から連続して設けられている。
【００４６】
一対の脚部２３は、長手方向の全領域において高さ（上下方向長さ）が等しい。また、一対の脚部２３の高さは、底面部２２の高さ以上とされている。一対の脚部２３の高さの下限としては、２０ｍｍが好ましく、２５ｍｍがより好ましく、３０ｍｍがさらに好ましい。一方、上記高さの上限としては、４５ｍｍが好ましく、４０ｍｍがより好ましく、３５ｍｍがさらに好ましい。上記高さが上記下限に満たないと、一対の脚部２３の高さが底面部２２の高さより小さくなり、当該発炎筒保持具２１の上下方向における強度を十分に補強することができないおそれがある。また、上記高さが上記下限に満たないと、底面部２２と当該発炎筒保持具２１が載置される路面との間に十分な空間を形成することができず、路面の焦げ付き抑制機能を十分に高めることができないおそれがある。逆に、上記高さが上記上限を超えると、当該発炎筒保持具２１が不要に大きくなり取扱性が低下するおそれがある。
【００４７】
なお、一対の脚部２３の長手方向長さは、底面部２２の長手方向長さと同様とすることができる。
【００４８】
（係合部）
一対の係合部２４は、一対の脚部２３の下端の全領域から連続して設けられている。各係合部２４は、それぞれ先端が他の係合部２４の先端と係合されている。
【００４９】
なお、当該発炎筒保持具２１は、図１の発炎筒保持具１と同様、底面部２２の長手方向に一定の間隔をおいて、この長手方向と垂直方向に伸びる複数のミシン目部が形成されていてもよい。また、複数のミシン目部は、底面部２２から一対の脚部２３及び一対の係合部２４に連続して形成されていてもよい。
【００５０】
＜利点＞
当該発炎筒保持具２１は、図１の発炎筒保持具１と同様、取扱性に優れると共に、比較的低コストで路面の焦げ付きを抑制することができる。また、当該発炎筒保持具２１は、底面部２２の底面に中心軸方向に沿って付設される一対の脚部２３を備えるので、底面部２２と路面との間に空間を設けて発炎筒の燃焼炎温度の路面への伝達を抑制して路面の焦げ付きをさらに抑制し易い。
【００５１】
［第三実施形態］
図６の発炎筒保持具４１は、樋状に形成されている。当該発炎筒保持具４１は、図１及び図５の発炎筒保持具１，２１と同様、路面に載置して用いられる。当該発炎筒保持具４１は、発炎筒の周面における軸方向と平行な少なくとも一部の領域を被覆し、発炎筒から発生する炎や高温の燃焼残渣による路面の焦げ付きを抑制する。当該発炎筒保持具４１は、図１及び図５の発炎筒保持具１，２１と同様の難燃性の段ボールシートから構成されている。
【００５２】
当該発炎筒保持具４１は、発炎筒の周面に沿って配設される帯状の底面部４２と、底面部４２の底面に中心軸方向に沿って付設される一対の脚部４３とを備える。また、当該発炎筒保持具４１は、一対の脚部４３の下端から連続して設けられる連結部４４を有する。さらに、当該発炎筒保持具４１は、連結部４４の前端から下面側に折り返される折返し部４５を有する。
【００５３】
当該発炎筒保持具４１は、上記段ボールシートの波状の稜線方向と中心軸方向（底面部４２の長手方向）とのなす角度が４５°以上９０°以下である。また、上記なす角度の下限としては、６０°が好ましく、８０°がより好ましい。また特に、当該発炎筒保持具４１は、上記段ボールシートの波状の稜線方向が中心軸方向と垂直に位置すること（つまり、上記段ボールシートの波状の稜線方向と中心軸方向とのなす角度が９０°であること）が最も好ましい。当該発炎筒保持具４１は、上記段ボールシートの波状の稜線と中心軸とのなす角度が上記範囲内であることによって、底面部４２、一対の脚部４３、連結部４４及び折返し部４５の幅方向と上記稜線方向とが平行又は略平行に位置している。
【００５４】
（底面部）
底面部４２は、発炎筒から発生する炎や高温の燃焼残渣の路面への接触を抑制する。底面部４２は、一対の脚部４３の上端の全領域から連続する一対の連接片によって構成されている。底面部４２は、当該発炎筒保持具４１の幅方向中心部分において一対の連接片の先端（一対の脚部４３との連接部と反対側の端縁）同士が突き合わされた状態で保持されることで（例えば一対の連結片の先端同士が連結されることで）構成されている。底面部４２は、これにより幅方向において下方に湾曲して形成された窪み部を有する。具体的には、底面部４２は、一対の連結片の下端同士が連結されるよう幅方向中心側に向けて下方に傾斜した一対の傾斜部を有し、さらに具体的には幅方向の断面がＶ字状に構成されている。当該発炎筒保持具４１は、底面部４２の幅方向の断面がＶ字状に構成されることによって、別途側壁を設けなくても発炎筒を側方から支持することができ、この発炎筒のぐらつきを防止することができると共に、発炎筒が当該発炎筒保持具４１から脱落することを防止できる。また、底面部４２の幅方向の断面がＶ字状に構成されることによって、発炎筒の下面と底面部４２の底部との間に空間が形成されるので、この空間に発炎筒から発生する炎に起因する高温の燃焼残渣を捕集することができ、この燃焼残渣が発炎筒の周面を伝って流れることを抑制することができる。
【００５５】
底面部４２の平均幅及び平均高さとしては、図５の発炎筒保持具２１の底面部２２と同様とすることができる。また、底面部４２の長手方向長さは、図１の発炎筒保持具１の底面部２の長手方向平均長さと同様とすることができる。
【００５６】
（脚部）
一対の脚部４３は、当該発炎筒保持具４１の上下方向の強度を補強する。また、一対の脚部４３は、底面部４２と当該発炎筒保持具４１が載置される路面との間に空間を形成する。一対の脚部４３は、底面部４２の幅方向両端から下方に立設されている。一対の脚部４３は、底面部４２の幅方向両端の全領域から連続して設けられている。一対の脚部４３の高さとしては、図５の発炎筒保持具２１の脚部２３と同様とすることができる。一対の脚部４３の長手方向長さは、底面部２２の長手方向長さと同様とすることができる。
【００５７】
（連結部）
連結部４４は、発炎筒から発生する炎や高温の燃焼残渣の路面への接触を抑制する。連結部４４は、一対の脚部４３の下端間に架け渡されるよう一対の脚部４３の下端から連続して設けられる。連結部４４は、底面部４２の全面を下方から覆っており、これにより、燃焼残渣の漏れを防止し当該発炎筒保持具４１の防炎性を全面的に向上させる。
【００５８】
（折返し部）
折返し部４５は、当該発炎筒保持具４１の前側部分にのみ折り重ねられている。折返し部４５は、当該発炎筒保持具４１の前側部分にのみ折り重ねられることで、発炎筒の着火部近傍の下面側の防炎性を向上すると共に、発炎筒を着火部側が上方に傾斜した状態で支持する。なお、当該発炎筒保持具４１は、連結部４４及び折返し部４５の折曲部の外側にはライナーが存在している。当該発炎筒保持具４１は、連結部４４及び折返し部４５の折曲部の外側にライナーが存在していることによって、この折曲部を起点とする発火を抑制することができる。
【００５９】
なお、当該発炎筒保持具４１は、図１の発炎筒保持具１と同様、底面部４２の長手方向に一定の間隔をおいて、この長手方向と垂直方向に伸びる複数のミシン目部が形成されていてもよい。また、複数のミシン目部は、底面部４２から一対の脚部４３及び連結部４４に連続して形成されていてもよい。
【００６０】
＜利点＞
当該発炎筒保持具４１は、図１の発炎筒保持具１と同様、取扱性に優れると共に、比較的低コストで路面の焦げ付きを抑制することができる。また、当該発炎筒保持具４１は、底面部４２の底面に中心軸方向に沿って付設される一対の脚部４３を備えるので、底面部４２と路面との間に空間を設けて発炎筒の燃焼炎温度の路面への伝達を抑制して路面の焦げ付きをさらに抑制し易い。さらに、当該発炎筒保持具４１は、底面部４２の下方に連結部４４が配設されるので、この連結部４４によって残渣の漏れを防止し当該発炎筒保持具４１の防炎性を促進することができる。加えて、当該発炎筒保持部４１は、折返し部４５によって発炎筒を着火部側が上方に傾斜した状態で支持することができるので、発炎筒から発生する燃焼残渣が当該発炎筒保持具４１の前端から路面に漏れることを抑制し、路面の焦げ付きをさらに抑制することができる。
【００６１】
［その他の実施形態］
なお、本発明に係る発炎筒保持具は、上記態様の他、種々の変更、改良を施した態様で実施することができる。例えば当該発炎筒保持具には、発炎筒を固定するための発炎筒固定具によって発炎筒が固定されてもよい。このような発炎筒固定具によって発炎筒を固定可能な発炎筒保持ユニットを図７に示す。
【００６２】
図７の発炎筒保持ユニット３１は、発炎筒保持具３２と、発炎筒固定具３３とを備え、この発炎筒固定具３３によって発炎筒Ｘが発炎筒保持具３２に固定されている。当該発炎筒保持ユニット３１の発炎筒保持具３２としては、図５の発炎筒保持具２１の一対の脚部２３に発炎筒固定具３３を係止するための一対の係止孔３４が形成されたものが用いられる。
【００６３】
発炎筒固定具３３は、図８に示すように、概略円盤状に形成されている。発炎筒固定具３３は、周縁の一部から内部に亘って切り欠きが形成されており、この切り欠きによって画定される一対の突片３５及び開口３６を有する。発炎筒固定具３３は、図７に示すように、一対の突片３５を発炎筒保持具３２の一対の係止孔３４に挿入し、かつ開口３６を発炎筒Ｘの周壁に外嵌することで発炎筒保持具３２に連結されると共に、発炎筒Ｘを発炎筒保持具３２に固定する。当該発炎筒保持ユニット３１は、当該発炎筒保持具３２に加え、発炎筒固定具３３を備えることによって、発炎筒Ｘを当該発炎筒保持具３２の所定位置に容易かつ確実に固定することができる。これにより、当該発炎筒保持ユニット３１は、発炎筒Ｘから発生する炎や高温の燃焼残さの路面への接触をより確実に防止することができ、ひいては発炎筒Ｘから発生する炎や高温の燃焼残さに起因する路面の焦げ付きをより効果的に抑制することができる。
【００６４】
当該発炎筒保持具は、上述の実施形態のように発炎筒の周面をこの発炎筒の軸方向の両端に亘って被覆することが好ましいが、発炎筒の周面における軸方向と平行な少なくとも一部の領域を被覆することによって、路面の焦げ付きを抑制することができる。なお、当該発炎筒保持具は、発炎筒の周面における軸方向と平行な一部の領域のみを被覆する場合、発炎筒の着火部近辺の領域を被覆することが好ましい。
【００６５】
当該発炎筒保持具は、段ボールシートの波状の中芯の稜線方向と中心軸方向とのなす角度が上記範囲内である限り、その具体的形状は上述の実施形態の形状に限られるものではない。例えば図９に示すように、当該発炎筒保持具５１は、直方体状の底面部５２及びこの底面部５２の幅方向両端から上方に立設される一対の側壁５３を備える構成であってもよい。
【００６６】
当該発炎筒保持具は、幅方向において下方に湾曲して形成された窪み部を有する場合、この幅方向の断面は上述のＶ字状であることが好ましいが、このＶ字状の他、Ｕ字状、Ｗ字状、Ｘ字状、Ｙ字状等であってもよい。
【００６７】
当該発炎筒保持具は、発炎筒の周面に沿って配設される帯状の底面を有していなくてもよい。
【００６８】
当該発炎筒保持具は、底面部の両側縁に段ボールシートの中芯とライナーとで区画される空間が開口していることによって、この開口から熱を逃がし易く、これにより延焼抑制効果を高め易いが、このような開口が形成されていない場合でも中芯の稜線方向が中心軸方向と垂直に位置することで、路面の焦げ付きを抑制することができる。
【００６９】
当該発炎筒保持具は、例えば図１の発炎筒保持具の底面部の底面に中心軸に沿って脚部が付設されていてもよい。また、この脚部は、底面部の幅方向両端の長手方向の全領域に亘って付設されてもよく、上述の複数の突出部の高さを大きくすることで部分的に形成されてもよい。上記脚部が、上記突出部の高さを大きくすることで部分的に形成されることによって、底面部の幅方向における両側縁の広い領域に段ボールシートの中芯とライナーとで区画される開口を形成し、これによりこの開口から熱を十分に逃がすことができる。
【実施例】
【００７０】
以下、実施例によって本発明をさらに詳細に説明するが、本発明はこれらの実施例に限定されるものではない。
【００７１】
［実施例１］
図６の発炎筒保持具（この発炎筒保持具は、段ボールシートの波状の稜線方向が中心軸方向と垂直に位置する）に、発炎筒の後端が発炎筒保持具の後端と一致するように発炎筒を載置した。この発炎筒保持具を構成する段ボールシートの平均厚さは５ｍｍであり、この段ボールシートのＪＩＳ−Ｚ２１５０：１９６６に示される「４５°メッケルバーナー法」に準じた防火等級は２級であった。また、この発炎筒の軸方向長さは３４０ｍで、発炎筒の前端及び発炎筒保持具の前端間の距離は５０ｍｍであった。さらに、この発炎筒保持具の底面部の幅は６５ｍｍであり、底面部の高さは３５ｍｍであり、一対の脚部の高さは４０ｍｍであった。
【００７２】
次に、格子状網の上面にアルミホイールを敷き、さらにその上に発炎筒が載置された上記発炎筒保持具を置いた。このアルミホイールの表面温度は４℃であった。次に、この発炎筒保持具に載置された発炎筒を発火させ、着火部直下におけるアルミホイールの下面の温度を放射温度計（安立計器株式会社製の「Ｒ−１６０」）により測定した。このアルミホイール下面の温度の測定結果を表１に示す。
【００７３】
［実施例２］
実施例１の発炎筒保持具と同様の段ボールシートを用いて構成された図５の発炎筒保持具（この発炎筒保持具は、段ボールシートの波状の稜線方向が中心軸方向と垂直に位置する）に、発炎筒の後端が発炎筒保持具の後端と一致するように実施例１と同様の発炎筒を載置した。発炎筒の前端及び発炎筒保持具の前端間の距離は実施例１と同様５０ｍｍであった。また、この発炎筒保持具の底面部の幅は６５ｍｍであり、底面部の高さは３５ｍｍであり、一対の脚部の高さは４０ｍｍであった。
【００７４】
次に、実施例１と同様、格子状網の上面にアルミホイールを敷き、さらにその上に発炎筒が載置された上記発炎筒保持具を置いた。このアルミホイールの表面温度は４℃であった。次に、この発炎筒保持具に載置された発炎筒を発火させ、着火部直下におけるアルミホイールの下面の温度を実施例１と同様にして測定した。このアルミホイール下面の温度の測定結果を表１に示す。
【００７５】
［実施例３］
実施例１の発炎筒保持具と同様の段ボールシートを用いて構成された図９の発炎筒保持具（この発炎筒保持具は、段ボールシートの波状の稜線方向が中心軸方向と垂直に位置する）に、発炎筒の後端が発炎筒保持具の後端と一致するように実施例１と同様の発炎筒を載置した。発炎筒の前端及び発炎筒保持具の前端間の距離は実施例１と同様５０ｍｍであった。また、この発炎筒保持具の底面部の幅は４０ｍｍであり、一対の側壁の高さは１５ｍｍであった。
【００７６】
次に、実施例１と同様、格子状網の上面にアルミホイールを敷き、さらにその上に発炎筒が載置された上記発炎筒保持具を置いた。このアルミホイールの表面温度は４℃であった。次に、この発炎筒保持具に載置された発炎筒を発火させ、着火部直下におけるアルミホイールの下面の温度を実施例１と同様にして測定した。このアルミホイール下面の温度の測定結果を表１に示す。
【００７７】
［実施例４］
図９の発炎筒保持具の一対の側壁と同様の構成を有する内壁の上端からこの一対の内壁の外面に折り重ねられる一対の外壁（この内壁及び側壁は実施例４の発炎筒保持具の側壁を構成する）及びこの外壁から下方に連続する一対の脚部を備える図１０の発炎筒保持具６１（この発炎筒保持具は、段ボールシートの波状の稜線方向が中心軸方向と垂直に位置する）に、発炎筒の後端が発炎筒保持具の後端と一致するように実施例１と同様の発炎筒を載置した。発炎筒の前端及び発炎筒保持具６１の前端間の距離は実施例１と同様５０ｍｍであった。また、この発炎筒保持具６１の底面部の幅及び一対の側壁の高さは実施例３と同様であり、一対の脚部の高さは１０ｍｍであった。
【００７８】
次に、実施例１と同様、格子状網の上面にアルミホイールを敷き、さらにその上に発炎筒が載置された上記発炎筒保持具を置いた。このアルミホイールの表面温度は４℃であった。次に、この発炎筒保持具に載置された発炎筒を発火させ、着火部直下におけるアルミホイールの下面の温度を実施例１と同様にして測定した。このアルミホイール下面の温度の測定結果を表１に示す。
【００７９】
［比較例］
実施例１と同様、格子状網の上面にアルミホイールを敷き、さらにその上に発炎筒を直接置いた。このアルミホイールの表面温度は４℃であった。次に、この発炎筒を発火させ、着火部直下におけるアルミホイールの下面の温度を実施例１と同様にして測定した。このアルミホイール下面の温度の測定結果を表１に示す。
【００８０】
【表１】
2017208010.tif 000003
【００８１】
＜評価結果＞
表１に示すように、本発明に係る発炎筒保持具を用いた実施例１〜実施例４は、比較例に比べてアルミホイール下面の温度の上昇が抑えられていることから、発炎筒の炎による路面の焦げ付きを抑制することができることが分かる。また特に、底面部の幅方向の断面がＶ字状に構成された発炎筒保持具を用いた実施例１及び実施例２は、実施例３及び実施例４よりも路面の焦げ付きを抑制することができることが分かる。これは、底面部の幅方向の断面がＶ字状に構成された発炎筒保持具によると、発炎筒の下面と底面部の底部との間に空間が形成され、この空間に発炎筒から発生する炎に起因する高温の燃焼残渣を捕集することができるためと考えられる。
【産業上の利用可能性】
【００８２】
以上のように、本発明の発炎筒保持具は、取扱性に優れると共に、比較的低コストで路面の焦げ付きを抑制することができるので、高速道路での事故等の緊急時や、高速道路の工事現場などにおいて、通行車両のドライバーに注意を喚起するのに適している。
【符号の説明】
【００８３】
１，２１，３２，４１，５１，６１  発炎筒保持具
２，２２，４２，５２  底面部
３，４３，５３  側壁
４  突出部
１１  載置部
１２  第１支持部
１３  第２支持部
１４  ミシン目部
１６  外壁
１７  内壁
１８  凸部
１９  孔
２３，４３  脚部
２４  係合部
３１  発炎筒保持ユニット
３３  発炎筒固定具
３４  係止孔
３５  突片
３６  開口
４４  連結部
４５  折返し部
Ｘ  発炎筒
Ｙ１，Ｙ２  空間
【図１】
2017208010.tif 000004
【図２】
2017208010.tif 000005
【図３】
2017208010.tif 000006
【図４】
2017208010.tif 000007
【図５】
2017208010.tif 000008
【図６】
2017208010.tif 000009
【図７】
2017208010.tif 000010
【図８】
2017208010.tif 000011
【図９】
2017208010.tif 000012
【図１０】
2017208010.tif 000013